【手続補正書】
【提出日】令和3年7月5日(2021.7.5)
【手続補正１】
【補正対象書類名】特許請求の範囲
【補正対象項目名】全文
【補正方法】変更
【補正の内容】
【特許請求の範囲】
【請求項１】
開口絞りを有し、前記開口絞りを介して像を形成し、カメラ装置に着脱可能なレンズ装置であって、
前記像における光量分布に関して前記カメラ装置での撮像により得られた画像データを補正するための補正データを記憶している記憶部を有し、
広角端での開放ＦナンバーをＦｗ、望遠端での開放ＦナンバーをＦｔ、広角端での焦点距離をｆｗ、望遠端での焦点距離をｆｔ、
ｆｄ＝Ｆｗ／Ｆｔ×ｆｔ
で表される焦点距離ｆｄでの開放ＦナンバーをＦｄとしたとき、
１．１０＜Ｆｔ／Ｆｄ＜４．００
−０．０１＜（Ｆｄ−Ｆｗ）／Ｌｏｇ（ｆｄ／ｆｗ）＜１．２０
を満足し、
前記補正データは、前記開口絞りの複数の状態のそれぞれに対応する、像高に関するｎ次多項式（ｎは非負の整数）における係数を含み、
前記係数は、前記開口絞りの前記複数の状態のうちの２つの状態にそれぞれ対応する広角端での２つのＦナンバーを前記開口絞りの開放側から順にＦｗｐ＿１およびＦｗｐ＿２としたとき、
１．００＜Ｆｗｐ＿２／Ｆｗ＜２．００
Ｆｗｐ＿２／Ｆｗｐ＿１＜１．４１
を満足するＦｗｐ＿１およびＦｗｐ＿２それぞれに対応する係数を含むことを特徴とするレンズ装置。
【請求項２】
前記開口絞りの状態に対応する広角端でのＦナンバーをＦｗｐ、
１．００＜Ｆｗｐ／Ｆｗ＜２．００
を満足する前記係数に対応するＦｗｐの数をＮ０２、前記係数に対応するＦｗｐの全数をＮａｌｌとしたとき、
０．３０＜Ｎ０２／Ｎａｌｌ
を満足することを特徴とする請求項１に記載のレンズ装置。
【請求項３】
前記開口絞りの状態に対応する広角端でのＦナンバーをＦｗｐとしたとき、
１．００＜Ｆｗｐ／Ｆｗ＜１．１９
を満足する前記係数に対応するＦｗｐを２つ以上有することを特徴とする請求項１または請求項２に記載のレンズ装置。
【請求項４】
前記開口絞りの状態に対応する広角端でのＦナンバーをＦｗｐ、
２．００＜Ｆｗｐ／Ｆｗ＜３．００
を満足する前記係数に対応するＦｗｐの数をＮ２３、前記係数に対応するＦｗｐの全数をＮａｌｌとしたとき、
０．１０＜Ｎ２３／Ｎａｌｌ
を満足することを特徴とする請求項１ないし請求項３のうちいずれか１項に記載のレンズ装置。
【請求項５】
ズームのために移動するズームレンズ群と、
フォーカスのために移動するフォーカスレンズ群とを含み、
前記記憶部は、前記補正データを、前記ズームレンズ群の状態と、前記フォーカスレンズ群の状態と、前記開口絞りの状態との間の複数の組合せのそれぞれに関して記憶していることを特徴とする請求項１ないし請求項４のうちいずれか１項に記載のレンズ装置。
【請求項６】
前記係数は、補正量をＤ、像高をｈとしたとき、前記ｎ次多項式としての３次多項式
Ｄ＝Ａ３×ｈ３＋Ａ２×ｈ２＋Ａ１×ｈ＋Ａ０
における係数Ａ０、係数Ａ１、係数Ａ２、および係数Ａ３を含むことを特徴とする請求項１ないし請求項５のうちいずれか１項に記載のレンズ装置。
【請求項７】
前記係数は、補正量をＤ、像高をｈとしたとき、前記ｎ次多項式としての４次多項式
Ｄ＝Ａ４×ｈ４＋Ａ３×ｈ３＋Ａ２×ｈ２＋Ａ１×ｈ＋Ａ０
における係数Ａ０、係数Ａ１、係数Ａ２、係数Ａ３、および係数Ａ４を含むことを特徴とする請求項１ないし請求項５のうちいずれか１項に記載のレンズ装置。
【請求項８】
前記ｎ次多項式の各項の係数を設定するためのユーザー・インターフェース部を有することを特徴とする請求項１ないし請求項７のうちいずれか１項に記載のレンズ装置。
【請求項９】
前記カメラ装置に対して前記補正データを送信する通信部を有し、
前記通信部は、前記係数のうち、前記ｎ次多項式における０次の項の係数のみを前記カメラ装置に対して送信することを特徴とする請求項１ないし請求項８のうちいずれか１項に記載のレンズ装置。
【請求項１０】
前記カメラ装置に対して前記補正データを送信する通信部を有し、
前記通信部は、前記補正データのうち、少なくとも前記開口絞りの状態および前記ズームレンズ群の状態との間の複数の組合せのそれぞれに関する補正データを前記カメラ装置に対して送信することを特徴とする請求項５に記載のレンズ装置。
【請求項１１】
前記開口絞りより像側のレンズ群を有し、
前記フォーカスレンズ群、前記開口絞り、および前記開口絞りより像側の前記レンズ群は、ズーミングのためには移動しないことを特徴とする請求項５に記載のレンズ装置。
【請求項１２】
焦点距離ｆｗに関する前記係数Ａ０をＡ０（ｆｗ）、焦点距離ｆｔに関する前記係数Ａ０をＡ０（ｆｔ）、焦点距離ｆｄに関する前記係数Ａ０をＡ０（ｆｄ）としたとき、
１．２１＜Ａ０（ｆｔ）／Ａ０（ｆｄ）＜１６．００
−０．０１＜（Ａ０（ｆｄ）−Ａ０（ｆｗ））／Ｌｏｇ（ｆｄ／ｆｗ）＜０．５０
を満足することを特徴とする請求項６または請求項７に記載のレンズ装置。
【請求項１３】
光路に対する挿抜が可能なエクステンダーレンズ群と、
前記挿抜の状態を検出する検出部とを有し、
前記記憶部は、前記挿抜の状態に関して前記補正データを記憶していることを特徴とする請求項１ないし請求項１２のうちいずれか１項に記載のレンズ装置。
【請求項１４】
請求項１ないし請求項１３のうちいずれか１項に記載のレンズ装置と、
前記レンズ装置の像面に配された撮像素子とを有することを特徴とする撮像装置。
【請求項１５】
請求項１ないし請求項１３のうちいずれか１項に記載のレンズ装置から受信した前記補正データに基づいて、前記画像データを補正する処理を行うことを特徴とする処理装置。
【請求項１６】
請求項１５に記載の処理装置を含むことを特徴とするカメラ装置。
【請求項１７】
開口絞りを有し、前記開口絞りを介して像を形成するレンズ装置が装着されたカメラ装置での撮像により得られた画像データを、前記像における光量分布に関して補正するための補正データであって、
前記レンズ装置は、広角端での開放ＦナンバーをＦｗ、望遠端での開放ＦナンバーをＦｔ、広角端での焦点距離をｆｗ、望遠端での焦点距離をｆｔ、
ｆｄ＝Ｆｗ／Ｆｔ×ｆｔ
で表される焦点距離ｆｄでの開放ＦナンバーをＦｄとしたとき、
１．１０＜Ｆｔ／Ｆｄ＜４．００
−０．０１＜（Ｆｄ−Ｆｗ）／Ｌｏｇ（ｆｄ／ｆｗ）＜１．２０
を満足し、
前記補正データは、前記開口絞りの複数の状態のそれぞれに対応する、像高に関するｎ次多項式（ｎは非負の整数）における係数を含み、
前記係数は、前記開口絞りの前記複数の状態のうちの２つの状態にそれぞれ対応する広角端での２つのＦナンバーを前記開口絞りの開放側から順にＦｗｐ＿１およびＦｗｐ＿２としたとき、
１．００＜Ｆｗｐ＿２／Ｆｗ＜２．００
Ｆｗｐ＿２／Ｆｗｐ＿１＜１．４１
を満足するＦｗｐ＿１およびＦｗｐ＿２それぞれに対応する係数を含むことを特徴とする補正データ。
【手続補正２】
【補正対象書類名】明細書
【補正対象項目名】発明の名称
【補正方法】変更
【補正の内容】
【発明の名称】レンズ装置、撮像装置、処理装置、カメラ装置、および補正データ
【手続補正３】
【補正対象書類名】明細書
【補正対象項目名】０００９
【補正方法】変更
【補正の内容】
【０００９】
本発明の一つの側面は、開口絞りを有し、前記開口絞りを介して像を形成し、カメラ装置に着脱可能なレンズ装置であって、
前記像における光量分布に関して前記カメラ装置での撮像により得られた画像データを補正するための補正データを記憶している記憶部を有し、
広角端での開放ＦナンバーをＦｗ、望遠端での開放ＦナンバーをＦｔ、広角端での焦点距離をｆｗ、望遠端での焦点距離をｆｔ、
ｆｄ＝Ｆｗ／Ｆｔ×ｆｔ
で表される焦点距離ｆｄでの開放ＦナンバーをＦｄとしたとき、
１．１０＜Ｆｔ／Ｆｄ＜４．００
−０．０１＜（Ｆｄ−Ｆｗ）／Ｌｏｇ（ｆｄ／ｆｗ）＜１．２０
を満足し、
前記補正データは、前記開口絞りの複数の状態のそれぞれに対応する、像高に関するｎ次多項式（ｎは非負の整数）における係数を含み、
前記係数は、前記開口絞りの前記複数の状態のうちの２つの状態にそれぞれ対応する広角端での２つのＦナンバーを前記開口絞りの開放側から順にＦｗｐ＿１およびＦｗｐ＿２としたとき、
１．００＜Ｆｗｐ＿２／Ｆｗ＜２．００
Ｆｗｐ＿２／Ｆｗｐ＿１＜１．４１
を満足するＦｗｐ＿１およびＦｗｐ＿２それぞれに対応する係数を含むことを特徴とするレンズ装置である。